(57)【特許請求の範囲】
【請求項１】
複数枚の略矩形をなすシートが連続して取り出せるように積層されたシート積層体において、
上記シートの一辺と略平行で該一辺側の第１の折れ線で該シートを折り返し第１の折片を形成し、さらに、該第１の折片を按分するように遊離端側を折り返して第１の重畳体を形成し、
上記シートの一辺と略平行で該一辺と相対向する他辺側の第２の折れ線で該シートを折り返して第２の折片を形成し、該第２の折片を該シートに重畳して第２の重畳体を形成し、
上記第１及び第２の重畳体を形成することで、上記シートが一重となる中間領域を形成し、
上記第１及び第２の重畳体が形成されたシートを、上記一辺と直交する辺と略平行な第３の折れ線で、上部折り体と下部折り体とに按分するように折り畳み、
一の上記折り畳まれたシートは、次に積層される他の上記折り畳まれたシートの上記上部折り体の上記第２の重畳体を、該一のシートの上記第１の重畳体と該他のシートの上記第１の重畳体とが反対側に位置するように、上記中間領域に重ね合わせるシート積層体。
【請求項２】
上記第２の折片は、上記中間領域と略同一面積である請求項１記載のシート積層体。
【請求項３】
上記第２の折片は、上記第２の折れ線において、上記シートが上記第３の折れ線により折り畳まれた際の山側となる折り方向に折り返される請求項１又は２記載のシート積層体。
【請求項４】
複数枚の略矩形をなすシートが連続して取り出せるように積層されたシート積層体と、該シート積層体が収容され、取出口を有する包装体とを備えるシート包装体において、
上記シート積層体は、
上記シートの一辺と略平行で該一辺側の第１の折れ線で該シートを折り返し第１の折片を形成し、さらに、該第１の折片を按分するように遊離端側を折り返して第１の重畳体を形成し、
上記シートの一辺と略平行で該一辺と相対向する他辺側の第２の折れ線で該シートを折り返して第２の折片を形成し、該第２の折片を該シートに重畳して第２の重畳体を形成し、
上記第１及び第２の重畳体を形成することで、上記シートが一重となる中間領域を形成し、
上記第１及び第２の重畳体が形成されたシートを、上記一辺と直交する辺と略平行な第３の折れ線で、上部折り体と下部折り体とに按分するように折り畳み、
一の上記折り畳まれたシートは、次に積層される他の上記折り畳まれたシートの上記上部折り体の上記第２の重畳体を、該一のシートの上記第１の重畳体と該他のシートの上記第１の重畳体とが反対側に位置するように、上記中間領域に重ね合わせるシート包装体。
【発明の詳細な説明】
【技術分野】
【０００１】
本発明は、ウェットティッシュ等のシートの折り畳まれた状態で、このシートを連続して取り出せるように積層したシート積層体及びこのシート積層体が収容されたシート包装体に関する。
【背景技術】
【０００２】
従来、アルコール、保湿剤、界面活性剤等を含む薬液を紙、織布又は不織布の繊維素材に含浸させたウェットティッシュは、気密性や液密性を有する包装体に収容される。ウェットティッシュは、皮膚の汚れ拭き取り、化粧落とし、幼児のお尻拭き、トイレの清掃等、様々な用途に用いられている。この種の包装体は、包装体の一箇所に開閉蓋を有する取出口が設けられ、この取出口から内部に収容されたウェットティッシュを取出すことができる。また、このウェットティッシュは、様々な形に折り畳まれ、複数枚が積層され、一のウェットティッシュを引き出すと、その下に積層されたウェットティッシュの一部も誘出され、連続して取り出せるように積層した、いわゆるポップアップ式の積層体を形成している。
【０００３】
ところで、ウェットティッシュにおけるポップアップ式の積層体は、次に積層されたウェットティッシュの誘出された部分が外気と触れ、乾いてしまいその効用が失われてしまうので、誘出量をできるだけ短くすることが要請されている。
【０００４】
また、ポップアップ式の積層体は、各ウェットティッシュが薬液等により湿潤状態にあることから、ウェットティッシュ同士が密着する傾向にある。このとき、一のウェットティッシュを包装体の取出口から取り出そうとすると、次に積層されたウェットティッシュの全部まで取り出されてしまう、いわゆる共連れが発生していた。
【０００５】
さらに、これらのウェットティッシュは、手軽に皮膚の汚れ等を拭き取ることができるという利便性から携帯用に適しており、よりスリム化により携帯性の向上も要求されていた。
【先行技術文献】
【特許文献】
【０００６】
【特許文献１】特許第２９５１１８７号公報
【発明の概要】
【発明が解決しようとする課題】
【０００７】
本発明は、上述の問題点に鑑みてなされたものであり、いわゆるポップアップ式としてシートの最適な誘出量とし、共連れを抑制することができ、更なる携帯性を有するシート積層体、及びこのシート積層体を収容したシート包装体を提供することを目的とする。
【課題を解決するための手段】
【０００８】
本発明に係るシート積層体は、複数枚の略矩形をなすシートが連続して取り出せるように積層されたシート積層体において、上記シートの一辺と略平行で該一辺側の第１の折れ線で該シートを折り返し第１の折片を形成し、さらに、該第１の折片を按分するように遊離端側を折り返して第１の重畳体を形成し、上記シートの一辺と略平行で該一辺と相対向する他辺側の第２の折れ線で該シートを折り返して第２の折片を形成し、該第２の折片を該シートに重畳して第２の重畳体を形成し、上記第１及び第２の重畳体を形成することで、上記シートが一重となる中間領域を形成し、上記第１及び第２の重畳体が形成されたシートを、上記一辺と直交する辺と略平行な第３の折れ線で、上部折り体と下部折り体とに按分するように折り畳み、一の上記折り畳まれたシートは、次に積層される他の上記折り畳まれたシートの上記上部折り体の上記第２の重畳体を、該一のシートの上記第１の重畳体と該他のシートの上記第１の重畳体とが反対側に位置するように、上記中間領域に重ね合わせる。
【０００９】
また、本発明に係るシート包装体は、複数枚の略矩形をなすシートが連続して取り出せるように積層されたシート積層体と、該シート積層体が収容され、取出口を有する包装体とを備えるシート包装体において、上記シート積層体は、上記シートの一辺と略平行で該一辺側の第１の折れ線で該シートを折り返し第１の折片を形成し、さらに、該第１の折片を按分するように遊離端側を折り返して第１の重畳体を形成し、上記シートの一辺と略平行で該一辺と相対向する他辺側の第２の折れ線で該シートを折り返して第２の折片を形成し、該第２の折片を該シートに重畳して第２の重畳体を形成し、上記第１及び第２の重畳体を形成することで、上記シートが一重となる中間領域を形成し、上記第１及び第２の重畳体が形成されたシートを、上記一辺と直交する辺と略平行な第３の折れ線で、上部折り体と下部折り体とに按分するように折り畳み、一の上記折り畳まれたシートは、次に積層される他の上記折り畳まれたシートの上記上部折り体の上記第２の重畳体を、該一のシートの上記第１の重畳体と該他のシートの上記第１の重畳体とが反対側に位置するように、上記中間領域に重ね合わせる。
【発明の効果】
【００１０】
本発明によれば、積層体を収容したウェットティッシュ包装体では、一のシートが積層体の全幅よりも短い幅となるように折り畳まれ、積層体のいずれか一方の幅方向端部側に偏って設けられ、次に積層されるシートが積層体の他方の幅方向端部側に偏って設けられる。すなわち、積層体は、第１及び第２の重畳体が形成された一のシートに、次に積層される他のシートの上部折り体の第２の重畳体を、一のシートの第１の重畳体と他のシートの第１の重畳体とが反対側に位置するように、中間領域に重ね合わせて形成されることから、上述の重畳される面積を少なくすると同時に、取出口から誘出されるシートの大きさを最適なものとすることができる。
【００１１】
また、この積層体は、一のシートと、この一のシートの次に積層されたシートとが重畳される面積を少なくすることができるので、いわゆる共連れを抑制することができ、使い勝手がよくなる。
【００１２】
また、積層体は、従来と同面積のシートを用いた場合には、積層体自体の幅を小さくすることができるので、よりスリム化を実現でき、携帯性に優れた積層体を形成することができる。
【００１３】
また、積層体は、各表面が平らな略直方体形状となることから、携帯性に加え、安定性に優れている。
【図面の簡単な説明】
【００１４】
【図１】本発明のウェットティッシュ包装体の斜視図である。
【図２】シートの多重折り構造を説明するための図であり、（Ａ）は、シートを多重折りする前の斜視図であり、（Ｂ）は、シートを多重折りした後の斜視図である。
【図３】本発明の積層体の積層構造を説明するための斜視図である。
【図４】（Ａ）は、一のシートと次に積層されるシートの重ね合わせ位置を示すシートの平面図であり、（Ｂ）は、包装体及び積層体の縦断面模式図であり、（Ｃ）は、包装体及び積層体の平面図である。
【図５】積層体の変形例を示す図であり、（Ａ）は、シートを多重折りした後の斜視図であり、（Ｂ）は、包装体及び積層体の斜視図である。
【発明を実施するための形態】
【００１５】
１．ウェットティッシュ包装体
以下、本発明に係るシート積層体の最良の形態を図面を参照して詳細に説明する。図１に示すように、本発明に係るウェットティッシュ包装体１は、袋状の包装体２と、包装体２の内部に収容されるシート１１の積層体１０とから構成されている。
【００１６】
シート１１の積層体１０が収容される包装体２は、柔軟で気密性及び／又は液密性を有するシート、例えばポリエチレン、ポリプロピレン、ポリエステル、ポリアミド、ポリ塩化ビニル等の合成樹脂の単材又は複合材で形成されている。この包装体２は、図１に示すように、フィルムの長辺の一端部及び短辺の両端部がシールされた、その上面２ａが略矩形の平坦となるいわゆるピロータイプの包装体であり、その内部には、シート１１の積層体１０が封入されている。
【００１７】
なお、包装体２は、上述に限らず、上述の合成樹脂とアルミホイル、紙等とを貼りあわせた複合材からなるものであってもよい。また、包装体２は、上述のようないわゆるピロータイプに限らず、ある程度柔軟で気密性及び／又は液密性を有する材料からなり、その内部にウェットティッシュ等を収容できる包装体であれば、どのようなものであってもよい。
【００１８】
包装体２には、上面２ａの略中央に、内部に収容される積層体１０を構成する一のシート１１を取り出すための取出口３が形成されている。また、包装体２には、この取出口３を開放状態及び閉塞状態とする蓋材４が粘着されて取り付けられている。
【００１９】
包装体２に形成される取出口３は、包装体２の上面２ａの略中央部に、包装体２の長手方向に平行で両端が円弧をなすように形成されている。
【００２０】
なお、取出口３は、蓋材４によって取出口３全体が被覆され、シート１１を取出すことができれば、図１に示すような形状に限らず、楕円形や矩形であってもよい。また、取出口３は、予め取出口３を形成したものに蓋材４を被覆するものに限らず、包装体２の所定の位置に取出口３を形成するための薄肉部又は切り込みを設け、蓋材４を被覆した際、蓋材４の包装体２と対向する面に塗布された接着剤によって、蓋材４と一体に包装体２の取出口３を形成する領域のシートが切り取られるようにしてもよい。
【００２１】
このような取出口３を閉塞する蓋材４は、取出口３を閉塞するような大きさを有しており、包装体２に対向する面に、包装体２に繰り返し剥離、貼着ができる接着層が形成され、包装体２の上面２ａに接着されている。
【００２２】
蓋材４は、ポリエチレン、ポリプロピレン、ポリエステル、ポリアミド、ポリ塩化ビニル等の合成樹脂シートの複合材、又はこれら合成樹脂シートとアルミホイル、紙等とを貼り合わせた複合シートからなる柔軟で気密性及び／又は液密性を有するシートにより形成されている。
【００２３】
２．積層体
包装体２の内部に収容される積層体１０は、複数の多重折りされたシート１１を、包装体２の取出口３から連続取出しが行えるように積層されたものである。
【００２４】
積層体１０を構成するシート１１は、乳児や幼児のおむつの交換時におけるお尻拭き、皮膚の汚れ拭き取り、化粧落とし、トイレの清掃等の用途に適したものであり、図２（Ａ）に示すように、短辺１１ａ、１１ｂ、及び長辺１１ｃ、１１ｄとによって形成される略矩形の布帛からなり、例えば、天然繊維又は合成繊維が織布、不織布、編布に形成された布帛を用いる。この中でも汎用性やコスト等から不織布からなる布帛が最も好ましく用いられる。具体的に、天然繊維としては、例えば綿、絹、麻、ウール、パルプなどが挙げられ、合成繊維としては、例えばポリエチレンテレフタレート、ポリエステル、ポリプロピレン、ポリエチレン、アクリル、ナイロン、ビニロン、ポリ塩化ビニル、ポリウレタン、レーヨン等が挙げられる。また、これら天然繊維と合成繊維とを混合させた布帛を用いることができる。本発明においては、合成繊維からなる不織布、特に、合成繊維に高圧ウォータージェット流（繊維を交絡させるための水）を施し、繊維を交絡させて、乾燥状態では使用に耐え得る十分な強度を有するとともに、液体による湿潤状態ではウェブ形状を保持し、極めて容易且つ速やかな吸水性を有するスパンレース不織布が最も好ましく用いられる。
【００２５】
ここで、積層体１０を構成するシート１１の多重折り構造について説明をする。
【００２６】
積層体１０を構成する一のシート１１は、図２（Ａ）及び図２（Ｂ）に示すように、シート１１の短辺１１ａ側を折り返し第１の折片１３を形成し、さらに、第１の折片１３を按分するように遊離端側を折り返して第１の重畳体１４が形成される。このとき、シート１１を折り返すことで第１の折片１３が形成される折れ線を第１の折れ線１２と称する。この第１の折れ線１２は、短辺１１ａと略平行となる。そして、シート１１は、短辺１１ｂ側を折り返し第２の折片１６を形成し、第２の折片１６をシート１１に重畳して第２の重畳体１７が形成される。このとき、シート１１を折り返すことで第２の折片１６が形成される折れ線を第２の折れ線１５と称する。この第２の折れ線１５は、短辺１１ｂと略平行となる。さらに、シート１１は、第１及び第２の重畳体１４、１７が形成されることで、シート１１が一重となる中間領域１８が形成される。そして、第１及び第２の重畳体１４、１７が形成されたシート１１は、短辺１１ａと直交する方向で、上部折り体２０と下部折り体２１とに按分するように折り畳まれる。上部折り体２０と下部折り体２１とが形成される折れ線を第３の折れ線１９と称する。この第３の折れ線１９は、短辺１１ａと直交する長辺１１ｃと略平行となる。このように多重折りされるシート１１は、図３に示すように、複数のシート１１が折り重ねられ、積層体１０を形成している。具体的には、一のシート１１は、次に積層されるシート１１の上部折り体２０の第２の重畳体１７を、当該一のシート１１の第１の重畳体１４と次に積層されるシート１１の第１の重畳体１４とが反対側に位置するように、中間領域１８に重ね合わせる。
【００２７】
なお、説明上、本発明においては、図１に示すｘ軸方向、つまりシート１１の短辺１１ａ、１１ｂと平行する方向をシート１１の幅方向、図１に示すｙ軸方向、つまりシート１１の短辺１１ａ、１１ｂと直交する方向をシート１１の長さ方向、図１に示すｚ軸方向、つまり各シート１１が折り重ねられ形成される積層体１０の積層される方向を各シート１１が積層される積層方向と称する。
【００２８】
シート１１の第１の折片１３は、シート１１の長辺１１ｃ、１１ｄと、短辺１１ａ、幅方向（ｘ軸方向）に略平行な第１の折れ線１２とによって囲まれる部分である。第１の折片１３は、シート１１の短辺１１ａ側を第１の折れ線１２で折り返して形成される。そして、シート１１は、第１の折片１３を按分するように遊離端側が折り返される。この第１の折片１３を按分してシート１１上に重畳させた部分が、第１の重畳体１４となる。すなわち、第１の重畳体１４は、シート１１を第１の折れ線１２で折り返すことで第１の折片１３を形成し、その第１の折片１３の短辺１１ａ側の遊離端片２２を第４の折れ線２３で折り返すことで重畳される。第４の折れ線２３は、短辺１１ａと略平行で、第１の折片１３を半分に区画する位置に設けられる。このとき、第１の折片１３は、第１の折れ線１２において、シート１１が第３の折れ線１９により折り畳まれた際の谷側となる折り方向に折り返される。そして、遊離端片２２は、第４の折れ線２３において、第１の折片１３の折り方向とは逆方向に折り返して形成される。
【００２９】
このように、シート１１は、短辺１１ａ側を折り返す、具体的には、シート１１を第１及び第４の折れ線１２、２３の位置で折り返すことで、第１の重畳体１４が形成される。
【００３０】
シート１１の第２の折片１６は、シート１１の長辺１１ｃ、１１ｄと、短辺１１ｂ、幅方向（ｘ軸方向）に略平行な第２の折れ線１５とによって囲まれる部分である。第２の折片１６は、シート１１の短辺１１ｂ側を第２の折れ線１５で折り返して形成される。この第２の折れ線１５で折り返して形成される第２の折片１６をシート１１に重畳させた部分が、第２の重畳体１７となる。このとき、第２の折片１６は、第２の折れ線１５において、シート１１が第３の折れ線１９により折り畳まれた際の谷側となる折り方向に折り返される。
【００３１】
このように、シート１１は、短辺１１ｂ側を折り返す、具体的には、シート１１を第２の折れ線１５の位置で折り返すことで、第２の重畳体１７が形成される。
【００３２】
第１の折れ線１２は、短辺１１ａ、１１ｂと略平行で、シート１１の一方の短辺１１ａから、長さ方向（ｙ軸方向）全長の略１／３の位置に設けられている。第２の折れ線１５は、短辺１１ａ、１１ｂと略平行で、シート１１の他方の短辺１１ｂから、長さ方向（ｙ軸方向）全長の略１／６の位置に設けられている。そして、第４の折れ線２３は、短辺１１ａ、１１ｂと略平行で、第１の折片１３を按分する位置、すなわち、長さ方向（ｙ軸方向）全長の略１／６の位置に設けられている。このように、第１及び第２の折れ線１２、１５は、第１及び第２の重畳体１４、１７が重畳されない、互いに離間した位置に設けられている。すなわち、シート１１は、第１及び第２の重畳体１４、１７が形成されない中間領域１８を有し、この中間領域１８のｙ軸方向長さがシート１１の長さ方向（ｙ軸方向）全長の略１／６となる。この中間領域１８では、第１及び第２の重畳体１４、１７が形成されないことから、シート１１が一重となっている。
【００３３】
シート１１は、図２（Ｂ）に示すように、第１の折れ線１２で短辺１１ａ側端部をシート１１上側（図２（Ａ）の矢印ａ方向）に折り返し、さらに第４の折れ線２３位置で遊離端片２２をシート１１下側（図２（Ａ）の矢印ｂ方向）に折り返すことで第１の重畳体１４を形成する。そして、シート１１は、第２の折れ線１５位置で短辺１１ｂ側をシート１１上側（図２（Ａ）の矢印ｃ方向）に折り返すことで第２の重畳体１７を形成する。
【００３４】
また、シート１１は、図２（Ｂ）に示すように、第１及び第２の重畳体１４、１７が形成された状態から、短辺１１ａ、１１ｂの中点を通る第３の折れ線１９位置で折り返され（図２（Ａ）の矢印ｄ方向）、上部折り体２０と下部折り体２１とが形成される。
【００３５】
このように多重折り構造を有するシート１１は、複数枚折り畳まれ、積層されることにより積層体１０が形成される。すなわち、積層体１０は、偶数番目に積層されるシート１１と奇数番目に積層されるシート１１とが、互いに交差掛けされる。具体的には、積層体１０は、図３及び図４（Ａ）に示すように、第１及び第２の重畳体１４、１７が折り返された一のシート１１Ａの下部折り体２１の中間領域１８に、次に積層される第１及び第２の重畳体１４、１７が折り返された他のシート１１Ｂの上部折り体２０の第２の重畳体１７が重ね合わされ、それぞれのシート１１Ａ、１１Ｂの第３の折れ線１９で折り返すことで、積層構造を形成する。このとき、シート１１Ａとシート１１Ｂとは、互いの第１の重畳体１４、１４が反対側に位置するようにシート同士を重ね合わせる。積層体１０は、この積層と折り返しを繰り返すことで形成される。
【００３６】
なお、説明上、シート１１のうち、一のシートを１１Ａとし、そのシート１１Ａの次に積層されたシートを、他のシート１１Ｂと称する。
【００３７】
このようにして形成される積層体１０は、上述の包装体２内に収容され、取出口３から最上部のシート１１から順に取り出されることとなる。このシート１１は、薬液等が含浸され、皮膚の汚れ拭き取り、化粧落とし、幼児のお尻拭き、トイレの清掃等、様々な用途に用いられる。このとき、積層体１０は、シート１１Ａに、シート１１Ｂの上部折り体２０の第２の重畳体１７を、シート１１Ａの第１の重畳体１４とシート１１Ｂの第１の重畳体１４とが反対側に位置するように重ね合わせて形成するので、図４（Ａ）に示すように、シート１１Ａの第１の重畳体１４が、他のシート１１Ｂの第１の重畳体１４と重なることはない。そして、積層体１０は、全体が略直方体形状となり、各表面が平らな状態となることから、安定性に優れている。また、この積層体１０が内包されるウェットティッシュ包装体１は、全体として凹凸のないものとなり、複数個を積み上げた際にも安定したものとなる。
【００３８】
また、シート１１ＡとシートＢとは、重畳される面積が、図４（Ａ）に示すように、シート１１全体の面積の略１／６となり、一のシート１１Ａを引き出した際に、次に積層されたシート１１Ｂを引き出すことが抑制、すなわち共連れを抑制することができる。さらに、最上部にあるシート１１は、包装体２の幅方向（ｙ軸方向）のいずれかの端部側に偏っていることから、包装体２の上面２ａの略中央に設けられる取出口３から誘出される当該シート１１の大きさを最適なものとすることができる。具体的には、この誘出されるシート１１の大きさは、図４（Ｃ）の領域Ｘであり、シート１１の面積の略１／８である。そして、誘出されるシート１１は、連続取出しを行う際には、最上部のシート１１の端部１１ｅ（図４（Ｂ）参照）を摘むことができるとともに、取出口３を閉塞する際には、当該誘出されたシート１１の端部１１ｅを容易に包装体２内に戻すことができる大きさである。
【００３９】
さらに、シート１１は、中間領域１８では一重なのに対し、第１の重畳体１４では三重に重ね合わされている。そして、シート１１は、平面視略三角形の上述の領域Ｘ部分が誘出されるので、包装体２の取出口３から引き出したときには、第１の重畳体１４が、長辺１１ｄ側から順に引き出されることとなり、広がった状態になりやすい。すなわち、ウェットティッシュ包装体１では、シート１１を取出口３から引き出した際には、シート１１自体が第１の重畳体１４が重畳されていない広がった状態で引き出され、すぐに使用に供される使い勝手がよい状態となる。
【００４０】
以上のように構成されたシート１１の積層体１０は、一のシート１１Ａが積層体１０の全幅よりも短い幅となるように折り畳まれ、積層体１０のいずれか一方の幅方向端部側に偏って設けられ、次に積層されるシート１１Ｂが積層体１０の他方の幅方向端部側に偏って設けられる（図４（Ａ）参照）ことから、包装体２の上面２ａの略中央に設けられる取出口３から誘出される当該シート１１の大きさを最適なものとすることができる。
【００４１】
また、積層体１０では、一のシート１１Ａと、この一のシート１１Ａの次に積層されたシート１１Ｂとが重畳される面積を少なくする（図４（Ａ）参照）ことができるので、いわゆる共連れを抑制することができ、使い勝手がよくなる。
【００４２】
さらに、積層体１０は、従来と同面積のシートを用いた場合には、積層体自体の幅を小さくすることができるので、よりスリム化を実現でき、携帯性に優れた積層体を形成することができる。
【００４３】
なお、シート１１は、上述のような大きさの第１及び第２の重畳体１４、１７であることに限らない。すなわち、シート１１は、第１及び第２の重畳体１４、１７のそれぞれが形成される際には、いずれも重畳されない中間領域１８を残して折り返されて形成される。そして、一のシート１１Ａの中間領域１８には、次に積層されるシート１１Ｂの第２の重畳体１７が重畳される。したがって、シート１１の第２の重畳体１７と中間領域１８とは、略同一の大きさであれば、いかなる大きさであってもよい。
【００４４】
また、シート１１は、第１及び第２の折片１３、１６、遊離端片２２の折り返される方向が上述の折り返し方向に限るものではない。以下に、変形例として説明をする。
【００４５】
３．変形例
変形例として示す積層体３０は、図５（Ａ）及び図５（Ｂ）に示すように、シート３１が多数積層されて形成されている。積層体３０は、シート３１の第２の重畳体３２となる第２の折片３３の折り返し方向が、シート１１の第２の重畳体１７と異なるのみで、その他の構成については、積層体１０と変わらない。具体的には、積層体３０を構成するシート３１は、当該シート３１を第２の折れ線１５で折り返し第２の折片３３を形成し、この第２の折片３３をシート３１に折り返し重畳することで、第２の重畳体３２が形成される。このとき、第２の折片３３の折り返し方向が、シート１１の第２の折片１６の折り返し方向と逆になる。すなわち、シート３１では、第２の折片３３が上部折り体２０と下部折り体２１とが第３の折れ線１９により折り畳まれた際の、山側となるように折り返される。
【００４６】
以上のような構成を有する積層体３０は、積層体１０と同様に、この積層体３０を収容したウェットティッシュ包装体では、一のシート３１が積層体３０の全幅よりも短い幅となるように折り畳まれ、積層体３０のいずれか一方の幅方向端部側に偏って設けられ、次に積層されるシートが積層体の他方の幅方向端部側に偏って設けられることから、取出口から誘出されるシートの大きさを最適なものとすることができる。
【００４７】
また、積層体３０は、一のシート３１と、この一のシート３１の次に積層されたシートとが重畳される面積を少なくすることができるので、いわゆる共連れを抑制することができ、使い勝手がよくなる。
【００４８】
また、積層体３０は、従来と同面積のシートを用いた場合には、積層体自体の幅を小さくすることができるので、よりスリム化を実現でき、携帯性に優れた積層体を形成することができる。
【００４９】
また、積層体３０も、各表面が平らな略直方体形状となることから、携帯性に加え、安定性に優れている。
【００５０】
さらに、積層体３０では、シート３１の第２の折片３３が、外側に臨まされることとなり、包装体２の取出口３から最上部のシート３１を摘み易くなる。このとき、シート３１の短辺１１ｂは、積層体３０の常に中心線近傍に位置することとなる。したがって、この短辺１１ｂは、常に、包装体２の取出口３から臨まされることとなり、第２の折片３３を摘み易く、引き出しやすくなる。
【００５１】
さらに、シート３１は、中間領域１８では一重なのに対し、第１の重畳体１４では三重に重ね合わされている。そして、シート３１は、積層体１０と同様に、平面視略三角形の上述の領域Ｘ部分（図４（Ｃ）参照）が誘出されるので、包装体２の取出口３から引き出したときには、第１の重畳体１４が、長辺１１ｄ側から順に引き出されることとなり、広がった状態になりやすい。すなわち、シート３１を取出口３から引き出した際には、シート３１自体の第１の重畳体１４が重畳されていない広がった状態として引き出され、使い勝手がよい。
【００５２】
なお、積層体３０は、シート３１の第２の折片３３の折り返し方向のみを、シート１１の第２の折片１６の折り返し方向と異ならせたものであるが、これに限らず、第１の折片１３、遊離端片２２の折り返し方向を異ならせるようにしてもよい。
【符号の説明】
【００５３】
１  ウェットティッシュ包装体、２  包装体、２ａ  上面、３  取出口、４  蓋材、１０、３０  積層体、１１、３１  シート、１１ａ、１１ｂ  短辺、１１ｃ、１１ｄ  長辺、１２  第１の折れ線、１３  第１の折片、１４  第１の重畳体、１５  第２の折れ線、１６、３３  第２の折片、１７、３２  第２の重畳体、１８  中間領域、１９  第３の折れ線、２０  上部折り体、２１  下部折り体、２２  遊離端片、２３  第４の折れ線
【図１】
0005394149.tif 000002
【図２】
0005394149.tif 000003
【図３】
0005394149.tif 000004
【図４】
0005394149.tif 000005
【図５】
0005394149.tif 000006